(57)【要約】【課題】単純に背中を後ろに引く動作だけで脊椎を牽引し、弛緩することができる、脊椎牽引器を提供する。【解決手段】本発明は、人が座っていたり横になっている状態で脊椎を牽引してストレッチングする脊椎牽引器に関し、より詳しくは、使用者の単純動作だけで脊椎が安全に弛緩するように使用者のお尻を支える下敷き部材１００と、その下敷き部材１００のヒンジ構造３００で結合された中心部材２００、その中心部材２００の長手方向に移動自在な背もたれ部材４００、前記背もたれ部材４００の長手方向に移動自在な首支え部材５００、背もたれ部材４００の移動に従って首支え部材５００を移動させる移動手段６００、及び長さ制御手段７００を含んで構成される。【選択図】図１
2017144231.tif 000002
【特許請求の範囲】
【請求項１】
使用者のお尻を支える下敷き部材（１００）と、
前記下敷き部材（１００）とヒンジ構造（３００）で結合された中心部材（２００）と、
前記中心部材（２００）に挿入される背もたれ部材（４００）と、
前記背もたれ部材（４００）に挿入される首支え部材（５００）と、
前記中心部材（２００）に一方が固定され、首支え部材（５００）に他方が固定されるワイヤー（６１０）と、背もたれ部材（４００）に突出形成されてワイヤー（６１０）が掛かる第１係止突起（６２０）で構成され、前記ワイヤー（６１０）の他方は第１係止突起（６２０）より下で固定された移動手段（６００）と、
前記下敷き部材（１００）と前記背もたれ部材（４００）とが連結されるように設置された長さ制御手段（７００）と、
を含むことを特徴とする、脊椎牽引器。
【請求項２】
前記移動手段（６００）は、
前記中心部材（２００）の両側に両端が各々固定された前記ワイヤー（６１０）、
前記背もたれ部材（４００）の両側に各々突出形成されて前記ワイヤー（６１０）が掛かる第１係止突起（６２０）及び第２係止突起（６３０）、および、
前記首支え部材（５００）に形成され、かつ前記第１係止突起（６２０）と前記第２係止突起（６３０）より下に形成されて前記ワイヤー（６１０）の中間が掛かる第３係止突起（６４０）から構成されることを特徴とする、請求項１に記載の脊椎牽引器。
【請求項３】
前記ワイヤー（６１０）は弾性材質であることを特徴とする、請求項１又は２に記載の脊椎牽引器。
【請求項４】
前記長さ制御手段（７００）はショックアブソーバーであることを特徴とする、請求項１に記載の脊椎牽引器。
【請求項５】
前記長さ制御手段（７００）には前記ショックアブソーバーの圧力を調節する調節バルブ（７１０）をさらに含むことを特徴とする、請求項４に記載の脊椎牽引器。
【請求項６】
前記中心部材（２００）に固定連結される前記ワイヤー（６１０）には弾性手段（８００）がさらに備えられ、かつ前記弾性手段（８００）の一方は前記中心部材（２００）と接し、残りの一方は前記背もたれ部材（４００）に掛かる前記ワイヤー（６１０）に接するように構成されたことを特徴とする、請求項１又は２に記載の脊椎牽引器。
【請求項７】
前記首支え部材（５００）は前記ワイヤー（６１０）が連結される部分と首を支える部分とに分割構成され、かつその間には弾性手段（８００）がさらに含まれて構成されることを特徴とする、請求項１又は２に記載の脊椎牽引器。
【発明の詳細な説明】
【技術分野】
【０００１】
本発明は人が座っていたり横になっている状態で脊椎を牽引してストレッチングする脊椎牽引器に関し、より詳しくは、使用者の単純動作だけで脊椎が安全に弛緩するように構成された脊椎牽引器に関する。
【背景技術】
【０００２】
先行技術文献のように、脊椎牽引器は、通常、横になって作動するものと座っている状態で作動するものとに分けられて、使用者の力で脊椎を弛緩させるか、またはモーターにより脊椎を弛緩させる技術が開示されている。
【０００３】
また、従来技術では腰部分の脊椎を弛緩させるための構成が大部分であり、腰から首までの脊椎を弛緩するための構成は、使用者の頭が腰より低い位置に移動するように構成した、逆さぶら下がり健康器が開示されている。
【先行技術文献】
【特許文献】
【０００４】
【特許文献１】韓国公開特許第１０−２０１５−００５７７１７号公報
【特許文献２】韓国公開特許第１０−２０１２−００１４６５２号公報
【特許文献３】韓国特許出願第１０−２０１４−０１４４５６５号公報
【発明の概要】
【発明が解決しようとする課題】
【０００５】
本発明は、単純に背中を後ろに引く動作だけで脊椎を牽引し、弛緩することができる、脊椎牽引器を提供することを目的とする。
【０００６】
さらに、本発明は牽引による過度な弛緩を抑制することができる、脊椎牽引器を提供することを目的とする。
【課題を解決するための手段】
【０００７】
本発明の脊椎牽引器は、使用者のお尻を支える下敷き部材１００と、その下敷き部材１００とヒンジ構造３００で結合された中心部材２００、その中心部材２００に挿入される背もたれ部材４００、その背もたれ部材４００に挿入される首支え部材５００、その中心部材２００と背もたれ部材４００及び首支え部材５００に連結された移動手段６００、及びその下敷き部材１００と背もたれ部材４００が連結されるように設置された長さ制御手段７００を含むこと特徴とする。
【０００８】
そして、移動手段６００は中心部材２００に一方が固定されたワイヤー６１０と、背もたれ部材４００に突出形成されてワイヤー６１０が掛かる第１係止突起６２０及び首支え部材５００に形成され、かつ第１係止突起６２０より下に形成されてワイヤー６１０の他方が固定されるか、または中心部材２００の両側に両端が各々固定されたワイヤー６１０と背もたれ部材４００の両側に各々突出形成されてワイヤー６１０が掛かる第１係止突起６２０及び第２係止突起６３０、首支え部材５００に形成され、かつ第１係止突起６２０と第２係止突起６３０より下に形成されてワイヤー６１０の中間が掛かる第３係止突起６４０で構成される。
【０００９】
一方、長さ制御手段７００はショックアブソーバーであり、そのショックアブソーバーには圧力を調節する調節バルブ７１０をさらに含むことを特徴とする。
【００１０】
そして、中心部材２００に固定連結されるワイヤー６１０には弾性手段８００がさらに備えられ、首支え部材５００にも弾性手段８００をさらに含むことを特徴とする。
【発明の効果】
【００１１】
本発明は、中心部材２００が下敷き部材１００から回転される場合に、長さ制御手段７００により背もたれ部材４００が押されて上がるようになり、移動手段６００により背もたれ部材４００と共に首支え部材５００が長くなることによって、使用者が単純に背中を反らす動作だけで脊椎を弛緩する効果がある。
【００１２】
また、弾性材質のワイヤー６１０と中心部材２００及び首支え部材５００に構成される弾性手段８００により、背もたれ部材４００と首支え部材５００が長くなり過ぎることを抑制するので、脊椎または頚椎の過度な弛緩を防止する効果がある。
【００１３】
そして、長さ制御手段７００がショックアブソーバーで構成されることによって、中心部材２００の急激な回転が抑制されて、急な脊椎の弛緩を防止する効果がある。
【図面の簡単な説明】
【００１４】
【図１】本発明の使用状態を示す図である。
【図２】本発明の後面を部分的に切り欠いた図である。
【図３】本発明の中心部材が回転した状態を示す、部分的に切り欠いた図である。
【図４】本発明の移動手段を示す部分的に切り欠いた図である。
【発明を実施するための形態】
【００１５】
本発明は使用者の単純動作だけで脊椎が安全に弛緩するように構成された脊椎牽引器に関するものであって、使用者のお尻を支える下敷き部材１００と、その下敷き部材１００のヒンジ構造３００で結合された中心部材２００、その中心部材２００の長手方向に移動自在な背もたれ部材４００、その背もたれ部材４００の長手方向に移動自在な首支え部材５００、背もたれ部材４００の移動に従って首支え部材５００を移動させる移動手段６００、及び長さ制御手段７００を含むことを特徴とする。
【００１６】
以下、添付の図面を参照して前記本発明の概略的な構成を詳細に説明する。
【００１７】
第１に、本発明の下敷き部材１００は使用者のお尻を支えることができるサイズに形成され、かつ一方には以下に説明される中心部材２００が挿入できるサイズの‘コ’形状の溝が形成され、その‘コ’形状には突出した部材に互いに対称する孔が形成されて構成される。
【００１８】
このように構成された下敷き部材１００は、使用者が安定的に座ることができるように構成されたものである。
【００１９】
第２に、中心部材２００は前記下敷き部材１００の‘コ’形状の溝に挿入できるサイズに形成され、かつ下敷き部材１００に形成された孔と対応する更に別の孔が形成されて、構成される。
【００２０】
このように構成された中心部材２００は、以下に説明されるヒンジ構造３００により下敷き部材１００と結合されて自在に回転できるよう構成されたものである。
【００２１】
一方、中心部材２００に固定連結されるワイヤー６１０には弾性手段８００がさらに備えられ、かつその弾性手段８００の一方は中心部材２００と接し、残りの一方は以下に説明される背もたれ部材３００に接するように構成して、急な変化や使用者の弛緩限界値を超過する力を緩和させるように構成することもできる。
【００２２】
第３に、ヒンジ構造３００は自由に回転できる通常の構造を指すものであって、本発明では前記下敷き部材１００と中心部材２００に形成された孔に一つのボルトが挿入されてナット固定されるように構成されたものである。
【００２３】
第４に、背もたれ部材４００は前記中心部材２００が内部に挿入できる管形状に形成され、かつ一側面には使用者の背中を支えることができるサイズの背もたれ部が設置されて構成される。
【００２４】
このように構成された背もたれ部材４００は、前記中心部材２００が内部に挿入されて中心部材２００に沿って自由に移動できるように構成されたものである。
【００２５】
一方、背もたれ部材４００の中間には弾性手段８００をさらに構成する場合に、その弾性手段８００が掛かるように係止板を突出形成することが好ましい。
【００２６】
第５に、首支え部材５００は前記背もたれ部材４００の内部に挿入され、かつ一部突出するサイズに形成され、突出する部分の一方には使用者の顔の下を支えることができる顔支え部が設置されて構成される。
【００２７】
このように構成された首支え部材５００は、前記背もたれ部材４００の内部に挿入されて背もたれ部材４００に沿って自在に移動できるように構成されたものである。
【００２８】
一方、首支え部材５００はワイヤー６１０が連結される部分と首を支える部分とに分割構成され、かつ、その間には通常のスプリングが伸びた状態で構成された弾性手段８００をさらに含んで、急な変化や使用者の弛緩限界値を超過する力を緩和させるように構成することもできる。
【００２９】
第６に、移動手段６００は通常のワイヤー６１０と背もたれ部材４００の一側面に突出形成された第１係止突起６２０で構成される。
【００３０】
このように構成された移動手段６００は、前記中心部材２００の背面にワイヤー６１０の一端が溶接固定され、第１係止突起６２０に一度掛かった後、首支え部材５００の下端に溶接固定されてワイヤー６１０の形態が‘逆Ｕ’形状で、かつ一方が短い形態に結合され、完成される。
【００３１】
このように完成された移動手段６００は、背もたれ部材４００が中心部材２００から抜け出す場合に、中心部材２００と第１係止突起６２０との間の間隔が広がるようになり、このように広がった間隔によって相対的に第１係止突起６２０から首支え部材５００に連結されたワイヤー６１０の長さが短くなることによって、首支え部材５００が背もたれ部材４００から抜け出すように構成されたものである。
【００３２】
一方、移動手段６００は中心部材２００の両側に両端が各々固定されたワイヤー６１０と背もたれ部材４００の両側に各々突出形成されてワイヤー６１０が掛かる第１係止突起６２０及び第２係止突起６３０、首支え部材５００に形成され、かつ第１係止突起６２０と第２係止突起６３０より下に形成されてワイヤー６１０の中間が掛かる第３係止突起６４０で構成されてワイヤー６１０が‘Ｍ’形状になるように構成することもできる。
【００３３】
また、ワイヤー６１０は弾性材質で構成して、急な変化や使用者の弛緩限界値を超過する力を緩和させるように構成することもできる。
【００３４】
第７に、長さ制御手段７００は一定の長さで構成された棒で形成され、前記中心部材２００が回転される方向に突出した前記下敷き部材１００の端部の一方にヒンジ構造３００で結合され、他方は前記背もたれ部材４００にヒンジ構造３００で結合されて傾いた形状に結合され、完成される。
【００３５】
このように完成された長さ制御手段７００は背もたれ部材４００が下敷き部材１００と水平状態で回転されるほど長さ制御手段７００の固定された長さによって背もたれ部材４００が押されるように構成されたものである。
【００３６】
一方、長さ制御手段７００は通常のショックアブソーバーであり、そのショックアブソーバーの圧力を調節する調節バルブ７１０をさらに含んで、急な変化や使用者の弛緩限界値を超過する力を緩和させるように構成することもできる。
【００３７】
特に、ショックアブソーバーは背もたれ部材４００が下敷き部材１００と水平状態で回転されてショックアブソーバーの長さが長くなった後、調節バルブ７１０の操作状態に従ってそのショックアブソーバーの長さが原状復帰されるように構成されたものである。
【００３８】
以下、前記構成の実施形態を通じて本発明の作動関係を説明する。
【００３９】
実施形態１
実施形態１では、下敷き部材１００の一端が一部突出するように中心部材２００が挿入されてヒンジ構造３００で結合され、背もたれ部材４００は中心部材２００が内部に挿入されて結合される。
【００４０】
そして、首支え部材５００は背もたれ部材４００の内部に挿入され、移動手段６００は前記中心部材２００の背面にワイヤー６１０の一端が溶接固定され、第１係止突起６２０に一度掛かった後、首支え部材５００の下端に溶接固定されてワイヤー６１０の形態が‘逆Ｕ’形状で、かつ一方が短い形態に結合される。
【００４１】
最後に、長さ制御手段７００は中心部材２００が回転される方向に突出した前記下敷き部材１００の端部の一方にヒンジ構造３００で結合され、他方は前記背もたれ部材４００にヒンジ構造３００で結合されて本発明の実施形態１が結合され、完成される。
【００４２】
このように結合完成された本発明は、使用者が下敷き部材１００に座った状態で背もたれ部材３００に背中を当てて、首受け部材５００に頭を当てた状態で背中を後ろに反らす場合に、背もたれ部材３００に挿入された中心部材２００及び首支え部材５００が後に押され、かつ中心部材２００と下敷き部材１００のヒンジ構造３００により長さ制御手段７００に回転される。
【００４３】
この際、固定された長さを有する長さ制御手段７００は、徐々に下敷き部材１００と水平状態に変化されるが、その長さ制御手段７００が傾いた状態で水平状態に変化されるにつれて、中心部材２００に沿って自在に移動できるように構成された背もたれ部材４００が上方に押されるようになって、使用者の脊椎が弛緩する。
【００４４】
特に、背もたれ部材４００が上部に押される場合、中心部材２００から背もたれ部材４００が押されて上がるようになることによって、背もたれ部材４００と中心部材２００との間の距離が遠くなるようになり、これは背もたれ部材４００と中心部材２００に連結された移動手段６００のワイヤー６１０の長さが長くなる一方、背もたれ部材４００と首支え部材５００に連結された移動手段６００のワイヤー６１０が短くなるようになる。
【００４５】
即ち、背もたれ部材４００が長さ制御手段７００により押される場合に、移動手段６００により首支え部材５００が引かれて上方へ移動されて頚椎を弛緩させるようになるものである。
【００４６】
以上のように、本発明は中心部材２００が下敷き部材１００から回転される場合に、移動手段６００により背もたれ部材４００と共に首支え部材５００が長くなることによって、使用者が単純に背中を反らす動作だけで脊椎が弛緩する効果がある。
【００４７】
実施形態２
本発明の実施形態２では実施形態１の構成をそのまま適用し、かつ中心部材２００に固定連結されるワイヤー６１０には弾性手段８００であるスプリングが挟まれ、かつその弾性手段８００の一方は中心部材２００と接し、残りの一方は背もたれ部材３００に形成された係止板に接するように設置される。
【００４８】
そして、首支え部材５００はワイヤー６１０が連結される部分と首を支える部分とに分割構成され、かつその間には弾性手段８００が設置されて相互連結され、移動手段６００のワイヤー６１０は弾性材質で構成される。
【００４９】
また、長さ制御手段７００は通常のショックアブソーバーであり、そのショックアブソーバーの圧力を調節する調節バルブ７１０をさらに構成して本発明の実施形態２が完成される。
【００５０】
このように完成された本発明は、実施形態１のように脊椎が同時に弛緩し、かつ使用者が急に背中を後ろに反らす場合に、ショックアブソーバーで構成された長さ制御手段７００の圧力によって急に背もたれ部材２００が移動することを抑制して、急な脊椎の弛緩を防止することができ、そのショックアブソーバーの圧力調節バルブ７１０を通じてショックアブソーバーの作動条件が容易に調節できるようになる。
【００５１】
また、背もたれ部材２００に固定されるワイヤー６１０に設置される弾性手段８００により急な背もたれ部材２００の移動を緩和することができる。
【００５２】
そして、背もたれ部材２００と首支え部材５００が最大に長くなる状態になる場合、使用者の身体条件に従って頚椎の最大弛緩距離を超過する場合が発生することがあるが、この際、首支え部材５００が伸びたスプリングで構成された弾性手段８００により首支え部材５００が使用者の体格が小さくて、頚椎の最大弛緩距離以上に移動される場合に、ワイヤー６１０が固定された首支え部材５００の下端のみが弾性手段８００により上部に移動される。
【００５３】
即ち、中心部材２００の回転が持続されても、首支え部材５００の上端位置が弾性手段８００の最大収縮時まで固定できるものである。
【００５４】
そして、移動手段６００のワイヤー６１０が弾性体で構成されるので、中心部材２００の回転が持続されても、首支え部材５００と背もたれ部材２００が弾性体で構成されたワイヤー６１０の最大引張時までその位置が固定できるものである。
【００５５】
一方、ショックアブソーバーは背もたれ部材４００が下敷き部材１００と水平状態で回転されてショックアブソーバーの長さが長くなった後、調節バルブ７１０の操作状態に従ってそのショックアブソーバーの長さが原状復帰されることによって、背もたれ部材４００が徐々に下降することによって、弛緩した脊椎を徐々にもとの位置に戻す効果がある。
【００５６】
以上のように、本発明は背もたれ部材４００と首支え部材５００が長くなりすぎることを抑制するので、脊椎または頚椎の過度な弛緩を防止する効果がある。
【符号の説明】
【００５７】
１００    下敷き部材
２００    中心部材
３００    ヒンジ構造
４００    背もたれ部材
５００    首支え部材
６００    移動手段
６１０    ワイヤー
６２０    第１係止突起
６３０    第２係止突起
６４０    第３係止突起
７００    長さ制御手段
７１０    圧力調節バルブ
【図１】
2017144231.tif 000003
【図２】
2017144231.tif 000004
【図３】
2017144231.tif 000005
【図４】
2017144231.tif 000006